(57)【要約】【課題】  気象情報と連携して電子クーポンの償還率を向上させる気象クーポンメール配信装置、気象クーポンメール配信方法、気象クーポンメール配信プログラムを提供する。【解決手段】  気象クーポンメール配信システム１００は、気象クーポンメール配信装置１、利用者（消費者）が有する利用者端末２ｉ（ｉ＝ａ，ｂ，…，ｎ）、および気象クーポンメール配信装置１と利用者端末２ｉを相互に通信可能とするインターネット網、電話網などのコンピュータネットワーク３を備えており、気象クーポンメール配信装置１が、気象情報源４から取得した気象情報および利用者が予め登録したメール配信情報に基づいて、広告主５による電子クーポンを付した気象クーポンメールｍ１を利用者端末２ｉに配信するコンピュータシステムである。【選択図】      図１
2005165453.tif 000002
【特許請求の範囲】
【請求項１】
気象情報にクーポン情報を付加した気象クーポンメールを利用者端末に配信する気象クーポンメール配信装置であって、
利用者ごとに、該利用者のメールアドレス、メール配信地点の位置情報、並びに配信する気象情報、曜日および時刻を含むメール配信条件に関する情報を備えた利用者情報を記憶している利用者情報記憶手段と、
広告主ごとに、該広告主が提供する前記クーポン情報およびクーポン配信地域の位置情報を備えた配信クーポン情報を記憶している配信クーポン情報記憶手段と、
前記利用者情報記憶手段に記憶されたすべての前記利用者に対して、前記メール配信地点の位置情報を、所定の大きさを有するメッシュの位置座標に変換するメール配信メッシュ作成手段と、
所定の時間間隔で気象情報源から取得した前記気象情報を前記メッシュの位置座標ごとに管理する気象情報管理手段と、
前記利用者ごとに、前記メール配信地点のメッシュの位置座標における前記気象情報が前記メール配信条件に関する情報と一致するときは、前記気象情報に関するメール文書を作成するメール文書作成手段と、
前記メール文書が作成され、かつ、前記配信クーポン情報のクーポン配信地域が前記メール配信地点のメッシュの位置座標を含む場合には、該配信クーポン情報のクーポン情報を前記メール文書に付加して前記気象クーポンメールを作成するクーポン作成手段と、
前記利用者のメールアドレスに基づいて前記気象クーポンメールを前記利用者端末に配信するメール配信手段と、
を有することを特徴とする気象クーポンメール配信装置。
【請求項２】
前記メール配信手段は、前記メール配信条件に関する情報における配信する曜日および時刻に基づいて前記気象クーポンメールを配信することを特徴とする請求項１記載の気象クーポンメール配信装置。
【請求項３】
前記気象情報源から取得した気象情報において、雨の降り始めの時刻が気象情報取得時から所定の時間以内の場合、又は降雨の時間が所定の時間以内の場合には、前記メール配信手段は、降雨に関する前記気象クーポンメールを配信しないことを特徴とする請求項１又は２記載の気象クーポンメール配信装置。
【請求項４】
気象情報にクーポン情報を付加した気象クーポンメールを利用者端末に配信するコンピュータによる気象クーポンメール配信方法であって、
利用者ごとに、該利用者のメールアドレス、メール配信地点の位置情報、並びに配信する気象情報、曜日および時刻を含むメール配信条件に関する情報を備えた利用者情報を第１の記憶手段に記憶する利用者情報記憶ステップと、
広告主ごとに、該広告主が提供する前記クーポン情報およびクーポン配信地域の位置情報を備えた配信クーポン情報を第２の記憶手段に記憶する配信クーポン情報記憶ステップと、
前記第１の記憶手段に記憶されたすべての前記利用者に対して、前記メール配信地点の位置情報を、所定の大きさを有するメッシュの位置座標に変換するメール配信メッシュ作成ステップと、
所定の時間間隔で気象情報源から取得した前記気象情報を前記メッシュの位置座標ごとに管理する気象情報管理ステップと、
前記利用者ごとに、前記メール配信地点のメッシュの位置座標における前記気象情報が前記メール配信条件に関する情報と一致するときは、前記気象情報に関するメール文書を作成するメール文書作成ステップと、
前記メール文書が作成され、かつ、前記配信クーポン情報のクーポン配信地域が前記メール配信地点のメッシュの位置座標を含む場合には、該配信クーポン情報のクーポン情報を前記メール文書に付加して前記気象クーポンメールを作成するクーポン作成ステップと、
前記利用者のメールアドレスに基づいて前記気象クーポンメールを前記利用者端末に配信するメール配信ステップと、
を有することを特徴とする気象クーポンメール配信方法。
【請求項５】
前記メール配信ステップは、前記メール配信条件に関する情報における配信する曜日および時刻に基づいて前記気象クーポンメールを配信することを特徴とする請求項４記載の気象クーポンメール配信方法。
【請求項６】
前記気象情報源から取得した気象情報において、雨の降り始めの時刻が気象情報取得時から所定の時間以内の場合、又は降雨の時間が所定の時間以内の場合には、前記メール配信手段は、降雨に関する前記気象クーポンメールを配信しないことを特徴とする請求項４又は５記載の気象クーポンメール配信方法。
【請求項７】
気象情報にクーポン情報を付加した気象クーポンメールを利用者端末に配信する気象クーポンメール配信プログラムであって、
利用者ごとに、該利用者のメールアドレス、メール配信地点の位置情報、並びに配信する気象情報、曜日および時刻を含むメール配信条件に関する情報を備えた利用者情報を第１の記憶手段に記憶する利用者情報記憶ステップと、
広告主ごとに、該広告主が提供する前記クーポン情報およびクーポン配信地域の位置情報を備えた配信クーポン情報を第２の記憶手段に記憶する配信クーポン情報記憶ステップと、
前記第１の記憶手段に記憶されたすべての前記利用者に対して、前記メール配信地点の位置情報を、所定の大きさを有するメッシュの位置座標に変換するメール配信メッシュ作成ステップと、
所定の時間間隔で気象情報源から取得した前記気象情報を前記メッシュの位置座標ごとに管理する気象情報管理ステップと、
前記利用者ごとに、前記メール配信地点のメッシュの位置座標における前記気象情報が前記メール配信条件に関する情報と一致するときは、前記気象情報に関するメール文書を作成するメール文書作成ステップと、
前記メール文書が作成され、かつ、前記配信クーポン情報のクーポン配信地域が前記メール配信地点のメッシュの位置座標を含む場合には、該配信クーポン情報のクーポン情報を前記メール文書に付加して前記気象クーポンメールを作成するクーポン作成ステップと、
前記利用者のメールアドレスに基づいて前記気象クーポンメールを前記利用者端末に配信するメール配信ステップと、
をコンピュータに実行させることを特徴とする気象クーポンメール配信プログラム。
【請求項８】
前記メール配信ステップは、前記メール配信条件に関する情報における配信する曜日および時刻に基づいて前記気象クーポンメールを配信することを特徴とする請求項７記載の気象クーポンメール配信プログラム。
【請求項９】
前記気象情報源から取得した気象情報において、雨の降り始めの時刻が気象情報取得時から所定の時間以内の場合、又は降雨の時間が所定の時間以内の場合には、前記メール配信手段は、降雨に関する前記気象クーポンメールを配信しないことを特徴とする請求項７又は８記載の気象クーポンメール配信プログラム。
【発明の詳細な説明】
【技術分野】
【０００１】
本発明は、コンピュータネットワークを介して電子クーポンを配信する技術に関し、特に、気象情報を用いて電子クーポンを配信する気象クーポンメール配信装置、気象クーポンメール配信方法、気象クーポンメール配信プログラムに関する。
【背景技術】
【０００２】
昨今、ＩＴ（Information Technology）技術の進歩に伴い、電子クーポンを使ったセールスプロモーションが盛んに行われている。例えば、消費者の電子メールアドレスを配信先とした電子メールを利用して、商品およびサービスの割引クーポンを発行したりしている。そして、消費者は、この配信された割引クーポン（画面に表示されたクーポンまたはプリントアウトされたもの）をクーポン発行業者（商品およびサービスの提供者）に見せることにより、その特典を享受している。
【０００３】
尚、この出願に関連する先行技術文献情報としては、次のものがある。
【非特許文献１】株式会社ジーンズメイト、“ＪＭモバイル”、[Online]、［平成１５年１０月２０日検索］、インターネット＜ＵＲＬ：https://www.jeansmate.co.jp/jyoho/mobile.html＞
【発明の開示】
【発明が解決しようとする課題】
【０００４】
しかしながら、このような電子クーポンは、個人における１日のメール送受信数の増大を考えると、迷惑メールになってしまう可能性が高い。この場合、電子クーポンは閲覧されることなく破棄されるので、結果として電子クーポンの償還率は低下するという課題がある。
【０００５】
本発明は、上記の課題を解決するためになされたものであり、気象情報と連携して電子クーポンの償還率を向上させる気象クーポンメール配信装置、気象クーポンメール配信方法、気象クーポンメール配信プログラムを提供することを目的とする。
【課題を解決するための手段】
【０００６】
上記目的を達成するため、請求項１記載の本発明は、気象情報にクーポン情報を付加した気象クーポンメールを利用者端末に配信する気象クーポンメール配信装置であって、利用者ごとに、該利用者のメールアドレス、メール配信地点の位置情報、並びに配信する気象情報、曜日および時刻を含むメール配信条件に関する情報を備えた利用者情報を記憶している利用者情報記憶手段と、広告主ごとに、該広告主が提供する前記クーポン情報およびクーポン配信地域の位置情報を備えた配信クーポン情報を記憶している配信クーポン情報記憶手段と、前記利用者情報記憶手段に記憶されたすべての前記利用者に対して、前記メール配信地点の位置情報を、所定の大きさを有するメッシュの位置座標に変換するメール配信メッシュ作成手段と、所定の時間間隔で気象情報源から取得した前記気象情報を前記メッシュの位置座標ごとに管理する気象情報管理手段と、前記利用者ごとに、前記メール配信地点のメッシュの位置座標における前記気象情報が前記メール配信条件に関する情報と一致するときは、前記気象情報に関するメール文書を作成するメール文書作成手段と、前記メール文書が作成され、かつ、前記配信クーポン情報のクーポン配信地域が前記メール配信地点のメッシュの位置座標を含む場合には、該配信クーポン情報のクーポン情報を前記メール文書に付加して前記気象クーポンメールを作成するクーポン作成手段と、前記利用者のメールアドレスに基づいて前記気象クーポンメールを前記利用者端末に配信するメール配信手段と、を有することを要旨とする。
【０００７】
請求項２記載の本発明は、請求項１記載の発明において、前記メール配信手段は、前記メール配信条件に関する情報における配信する曜日および時刻に基づいて前記気象クーポンメールを配信することを要旨とする。
【０００８】
請求項３記載の本発明は、請求項１又は２記載の発明において、前記気象情報源から取得した気象情報において、雨の降り始めの時刻が気象情報取得時から所定の時間以内の場合、又は降雨の時間が所定の時間以内の場合には、前記メール配信手段は、降雨に関する前記気象クーポンメールを配信しないことを要旨とする。
【０００９】
請求項４記載の本発明は、気象情報にクーポン情報を付加した気象クーポンメールを利用者端末に配信するコンピュータによる気象クーポンメール配信方法であって、利用者ごとに、該利用者のメールアドレス、メール配信地点の位置情報、並びに配信する気象情報、曜日および時刻を含むメール配信条件に関する情報を備えた利用者情報を第１の記憶手段に記憶する利用者情報記憶ステップと、広告主ごとに、該広告主が提供する前記クーポン情報およびクーポン配信地域の位置情報を備えた配信クーポン情報を第２の記憶手段に記憶する配信クーポン情報記憶ステップと、前記第１の記憶手段に記憶されたすべての前記利用者に対して、前記メール配信地点の位置情報を、所定の大きさを有するメッシュの位置座標に変換するメール配信メッシュ作成ステップと、所定の時間間隔で気象情報源から取得した前記気象情報を前記メッシュの位置座標ごとに管理する気象情報管理ステップと、前記利用者ごとに、前記メール配信地点のメッシュの位置座標における前記気象情報が前記メール配信条件に関する情報と一致するときは、前記気象情報に関するメール文書を作成するメール文書作成ステップと、前記メール文書が作成され、かつ、前記配信クーポン情報のクーポン配信地域が前記メール配信地点のメッシュの位置座標を含む場合には、該配信クーポン情報のクーポン情報を前記メール文書に付加して前記気象クーポンメールを作成するクーポン作成ステップと、前記利用者のメールアドレスに基づいて前記気象クーポンメールを前記利用者端末に配信するメール配信ステップと、を有することを要旨とする。
【００１０】
請求項５記載の本発明は、請求項４記載の発明において、前記メール配信ステップは、前記メール配信条件に関する情報における配信する曜日および時刻に基づいて前記気象クーポンメールを配信することを要旨とする。
【００１１】
請求項６記載の本発明は、請求項４又は５記載の発明において、前記気象情報源から取得した気象情報において、雨の降り始めの時刻が気象情報取得時から所定の時間以内の場合、又は降雨の時間が所定の時間以内の場合には、前記メール配信手段は、降雨に関する前記気象クーポンメールを配信しないことを要旨とする。
【００１２】
請求項７記載の本発明は、気象情報にクーポン情報を付加した気象クーポンメールを利用者端末に配信する気象クーポンメール配信プログラムであって、利用者ごとに、該利用者のメールアドレス、メール配信地点の位置情報、並びに配信する気象情報、曜日および時刻を含むメール配信条件に関する情報を備えた利用者情報を第１の記憶手段に記憶する利用者情報記憶ステップと、広告主ごとに、該広告主が提供する前記クーポン情報およびクーポン配信地域の位置情報を備えた配信クーポン情報を第２の記憶手段に記憶する配信クーポン情報記憶ステップと、前記第１の記憶手段に記憶されたすべての前記利用者に対して、前記メール配信地点の位置情報を、所定の大きさを有するメッシュの位置座標に変換するメール配信メッシュ作成ステップと、所定の時間間隔で気象情報源から取得した前記気象情報を前記メッシュの位置座標ごとに管理する気象情報管理ステップと、前記利用者ごとに、前記メール配信地点のメッシュの位置座標における前記気象情報が前記メール配信条件に関する情報と一致するときは、前記気象情報に関するメール文書を作成するメール文書作成ステップと、前記メール文書が作成され、かつ、前記配信クーポン情報のクーポン配信地域が前記メール配信地点のメッシュの位置座標を含む場合には、該配信クーポン情報のクーポン情報を前記メール文書に付加して前記気象クーポンメールを作成するクーポン作成ステップと、前記利用者のメールアドレスに基づいて前記気象クーポンメールを前記利用者端末に配信するメール配信ステップと、をコンピュータに実行させることを要旨とする。
【００１３】
請求項８記載の本発明は、請求項７記載の発明において、前記メール配信ステップは、前記メール配信条件に関する情報における配信する曜日および時刻に基づいて前記気象クーポンメールを配信することを要旨とする。
【００１４】
請求項９記載の本発明は、請求項７又は８記載の発明において、前記気象情報源から取得した気象情報において、雨の降り始めの時刻が気象情報取得時から所定の時間以内の場合、又は降雨の時間が所定の時間以内の場合には、前記メール配信手段は、降雨に関する前記気象クーポンメールを配信しないことを要旨とする。
【発明の効果】
【００１５】
本発明によれば、気象情報と連携して電子クーポンの償還率を向上させる気象クーポンメール配信装置、気象クーポンメール配信方法、気象クーポンメール配信プログラムを提供することができる。
【００１６】
これにより、クーポン発行業者が提供する商品およびサービスの売上げ増進に寄与することができる。
【発明を実施するための最良の形態】
【００１７】
以下、本発明の実施の形態を図面を用いて説明する。
【００１８】
図１は、本発明の実施の形態に係る気象クーポンメール配信システム１００の概略構成図である。図１に示す気象クーポンメール配信システム１００は、気象クーポンメール配信装置１、利用者（消費者）が有する利用者端末２ｉ（ｉ＝ａ，ｂ，…，ｎ）、および気象クーポンメール配信装置１と利用者端末２ｉを相互に通信可能とするインターネット網、電話網などのコンピュータネットワーク３を備えており、気象クーポンメール配信装置１が、気象情報源４から取得した気象情報および利用者が予め登録したメール配信情報に基づいて、広告主５による電子クーポンを付した気象クーポンメールｍ１を利用者端末２ｉに配信するコンピュータシステムである。
【００１９】
ここで、気象情報とは、所定の地域における予測気象情報で、種類としては、例えば、予測紫外線ポイント情報および超短時間局地降雨予測情報（２．５ｋｍメッシュの区画領域ごとの気象情報を１０分間隔で３時間先まで予測する）、並びに降雨・気温・湿度・日照時間・天候予測情報（５ｋｍメッシュの区画領域ごとに１時間間隔で５２時間先まで予測する）、予測波浪情報（２．５ｋｍ×４ｋｍメッシュの区画領域ごとに６時間間隔７２時間先まで予測する）、および降雪予測情報（５ｋｍメッシュの区画領域ごとに１時間間隔で３時間先まで）などを含むものである。
【００２０】
そして、本実施の形態に係る気象クーポンメール配信システム１００は、上述した気象情報が人間の消費行動に影響を与えるという考えのもとにシステムが構築されている。例えば、具体的には、雨が降ると消費者は外出を控え、消費が滞るため、このような状況下で迅速に予測された気象情報とともにレストランなど外食産業の割引クーポンを送ることにより、外出購買活動を喚起するようになっている。
【００２１】
以下、本発明の実施の形態に係る気象クーポンメール配信システム１００の構成について、詳しく説明する。
【００２２】
気象クーポンメール配信装置１は、メールを配信する条件情報を記憶しているメール配信情報管理データベース（以下、メール配信情報管理ＤＢという）１１、広告主５が提供するクーポン情報を記憶しているクーポン情報管理データベース（以下、クーポン情報管理ＤＢという）１２、気象情報源４から定期的に気象情報を取得する気象情報取得部１３、利用者から入力されたメールを配信する条件情報をメール配信情報管理ＤＢ１１に登録するメール配信情報登録部１４、広告主５から入力されたクーポン情報をクーポン情報管理ＤＢ１５に登録するクーポン情報登録部１５、取得した気象情報、メールを配信する条件情報、およびクーポン情報に基づいて気象クーポンメールｍ１を作成する気象クーポンメール作成部１６、および気象クーポンメールｍ１を利用者端末２ｉに配信する気象クーポンメール配信部１７を具備する構成となっている。
【００２３】
ここで、メール配信情報管理ＤＢ１１は、例えば、具体的には、図２に示すような各項目、即ち、利用者の配信先メールアドレス１１１、メール配信地点に関する位置情報１１２、降雨に関するメール配信条件１１３、および今日の気象に関するメール配信条件１１４を、利用者ごとに管理するようになっている。尚、メール配信地点に関する位置情報１１２は、都道府県、市町村、緯度、経度などの情報の他、メッシュ座標でも管理されている。また、降雨に関するメール配信条件１１３とは、雨が降ると予測された場合の降雨を知らせるメールを配信制御する情報（送信するか否か、曜日および時間指定をするか否かなど）をいう。また、今日の気象情報に関するメール配信条件１１４とは、１日１回その日の気象情報を知らせるメールを配信制御する情報（送信するか否か、曜日および時間指定をするか否かなど）をいう。
【００２４】
また、クーポン情報管理ＤＢ１２は、例えば、具体的には、図３に示すような各項目、即ち、広告主属性情報１２１、降雨に関するクーポン情報（広告情報）１２２、今日の気象に関するクーポン情報（広告情報）１２３、およびクーポン配信地域１２４を、広告主５ごとに管理するようになっている。
【００２５】
上述した気象クーポンメール配信装置１は、少なくとも演算機能および制御機能を備えた中央演算装置（ＣＰＵ）、プログラムやデータを格納する機能を有するＲＡＭ等からなる主記憶装置（メモリ）を有する電子的な装置から構成されているものである。また、気象クーポンメール配信装置１は、主記憶装置の他、ハードディスクなどの補助記憶装置を具備していてもよい。
【００２６】
このうち、気象情報取得部１３、メール配信情報登録部１４、クーポン情報登録部１５、気象クーポンメール作成部１６、および気象クーポンメール配信部１７は、上記ＣＰＵによる演算制御機能を具体的に示したものに他ならない。また、メール配信情報管理ＤＢ１１およびクーポン情報管理ＤＢ１２は、上記主記憶装置及び補助記憶装置の機能を備えたものである。
【００２７】
また、本実施の形態に係る各種処理を実行するプログラムは、前述した主記憶装置またはハードディスクに格納されているものである。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００２８】
さらに、気象クーポンメール配信装置１は、物理的に一つからなる装置の他、複数の装置がネットワーク接続されたシステムなどのいずれの構成であってもよい。
【００２９】
利用者端末２ｉは、ＰＤＡ（Personal Digital Assistance）、携帯電話などの携帯情報端末、およびパソコンなどの固定端末を意味し、電子メール機能を備えている端末である。また、利用者端末２ｉに送信される気象クーポンメールｍ１は、利用者端末２ｉの画面ｄｉｓ１００に示す通り、少なくともメール配信地点ｍ１１、気象情報ｍ１２、およびクーポン情報ｍ１３を含む情報で構成されている。
【００３０】
次に、本実施の形態に係る気象クーポンメール配信システム１００の動作を図４乃至図７を用いて説明する。ここで、図４は、気象クーポンメール配信装置１における全体の処理概要を示すフローチャート図であり、図５は気象クーポンメールｍ１の作成アルゴリズムをメッシュを用いて説明する図である。また、図６は、利用者がメールを配信する条件情報を登録する画面であり、図７は、広告主５がクーポン情報を登録する画面である。
【００３１】
まず、事前に、利用者は利用者端末２ｉからメールを配信する条件情報を登録しておく（ステップＳ１０）。これは、図６に示すような会員登録画面ｄｉｓ１０から、配信先メールアドレス１１１、メール配信地点１１２、今日の気象に関するメール配信条件１１４、および降雨に関するメール配信条件１１３などを入力するもので、これにより、入力された情報がメール配信情報管理ＤＢ１１に登録される。また、広告主５は図７に示すような広告情報登録画面ｄｉｓ２０から、今日の気象に関するメールに付加するクーポン情報（広告情報）１２３、降雨に関するメールに付加するクーポン情報（広告情報）１２２、およびメール配信地域１２４などの配信クーポン情報を登録しておく（ステップＳ２０）。これにより、配信クーポン情報がクーポン情報管理ＤＢ１２に登録される。
【００３２】
次に、所定の時間間隔で実行されるタイマー監視の動作について説明するが、以下、降雨に関するメール配信の場合について説明する（ステップＳ１１０）。
【００３３】
まず、メール配信情報管理ＤＢ１１に登録された利用者のメール配信地点に関する情報１１２を取得して、メール配信登録メッシュｍｓ１を作成する（ステップＳ１２０）。これは、具体的には、各利用者のメール配信地点のメッシュ情報ｐ１に基づいて、図５（ａ）に示すようなメール配信登録メッシュｍｓ１をメモリ上に作成していくものである。
【００３４】
次に、取得した気象情報のうち、降雨情報を読み込み、気象情報メッシュｍｓ２を作成する（ステップＳ１３０）。これは、具体的には、降雨地域をメッシュごとに管理したメッシュ情報ｐ２に基づいて、図５（ｂ）に示すような降雨情報メッシュｍｓ２をメモリ上に作成していくものである。
【００３５】
次に、メール配信地点であり、かつ、降雨が予想されるメッシュに対して、降雨に関するメール配信条件１１３を満たしているかどうか確認し、メッシュ配信該当メッシュｍｓ３を作成する（ステップＳ１４０，Ｓ１５０，Ｓ１６０，Ｓ１７０，Ｓ１８０）。これは、具体的には、図５（ｃ）に示すように、メール配信登録メッシュｍｓ１であるとともに気象情報メッシュｍｓ２でもあるメッシュｐ３をメール配信該当メッシュｍｓ３としてメモリ上に作成するものであり、さらには、利用者の降雨に関するメール配信条件１１３を満たす場合には、メールの本文（例えば、「１２：００ごろから雨が降り始めるでしょう」など）を作成するものである。
【００３６】
次に、クーポン情報管理ＤＢ１２に登録されたメール配信地域１２４を取得して、クーポン登録メッシュｍｓ４を作成する。これは、具体的には、各広告主５のメール配信地域１２４のメッシュ情報ｐ４に基づいて、図５（ｄ）に示すようなクーポン登録メッシュｍｓ４をメモリ上に作成していくものである。そして、図５（ｅ）に示すように、メール配信該当メッシュｍｓ３であるとともにクーポン登録メッシュｍｓ４でもあるメッシュｐ５をメール配信メッシュｍｓ５としてメモリ上に作成し、メール配信メッシュｍｓ５内の利用者に対しては、メール本文に降雨に関するクーポン情報１２２を付加して、メールを配信する（ステップＳ１９０，Ｓ２００，Ｓ２１０）。尚、ステップＳ１５０からＳ２１０は、各メッシュそれぞれに対して行うものである。
【００３７】
また、上述したステップＳ１１０からＳ２１０までの動作は、降雨に関するメール配信の場合について説明したが、今日の気象に関するメール配信においても、ステップＳ１３０ですべての気象情報のメッシュが作成され、ステップＳ１６０が削除される他は、上述した動作と同じである。
【００３８】
さらに、降雨に関するメール配信に関しては、気象情報に降雨の情報があれば、常にメール配信するわけではなく、所定の条件のもとにメールを配信するものである。例えば、本実施の形態においては、気象情報観測時（観測の時間間隔は１０分）から先、６０分以降１８０分以内で（利用者は直近よりも少し先の気象状態に基づいて行動スタイルを決定するという特性を考慮している）、２０分以上連続での降雨が予測された場合に、雨降り始めと判断し、メール配信するものである。このことを図８を用いて説明する。
【００３９】
図８は、所定の地域における午前９時の気象情報を一例として５種類示しているものである。尚、網点は、雨の予測を意味している。例えば、図８（ａ）においては、１０：００から１０：２０まで雨の予測となっているので、上記条件を満たし、メールは配信される。また、図８（ｂ）および図８（ｃ）においても、同様にしてメールは配信される。これに対して、図８（ｄ）においては、２０分以上連続の雨の予測がないので、メールは配信されない。また、図８（ｅ）においては、９：４０から１０：００まで雨の予測となっているが、気象情報観測時から６０分以内であるので、メールは配信されない。このように、本実施の形態においては、利用者の行動特性も考慮して気象クーポンメールを配信しているので、利用者は降雨に関する気象クーポンメールｍ１をより有効に使うことができる。
【００４０】
以上、本実施の形態に係る気象クーポン配信システムによれば、利用者が希望する配信条件のもとで気象情報に関するメールを配信するとともに、気象情報および配信地域に好適なクーポン情報も配信することができる。
【００４１】
これにより、クーポンの償還率を向上させることができるので、クーポン発行業者が提供する商品およびサービスの売上げ増進に寄与することができる。また、本来ならば有料でしか取得できない詳細なピンポイント天気予報を、クーポン情報を付加することで一般エンドユーザーに無料で提供することが可能となる。
【００４２】
以上、本発明の実施の形態について説明してきたが、本発明の要旨を逸脱しない範囲において、本発明の実施の形態に対して種々の変形や変更を施すことができる。例えば、本実施の形態においては、降雨に関するメール配信、および今日の天気に関するメール配信について説明してきたが、本発明はこれに限定されるものではなく、あらゆる気象情報に関するメール配信に適用できるのは勿論である。
【図面の簡単な説明】
【００４３】
【図１】本発明の実施の形態に係る気象クーポンメール配信システムの概略構成図である。
【図２】本発明の実施の形態に係る気象クーポンメール配信システムにおけるメール配信情報管理ＤＢの構成を説明する図である。
【図３】本発明の実施の形態に係る気象クーポンメール配信システムにおけるクーポン情報管理ＤＢの構成を説明する図である。
【図４】本発明の実施の形態に係る気象クーポンメール配信システムの動作を説明するフローチャートである。
【図５】本発明の実施の形態に係る気象クーポンメール配信システムの動作を具体的に説明する図である。
【図６】本発明の実施の形態に係る気象クーポンメール配信システムにおける会員登録画面である。
【図７】本発明の実施の形態に係る気象クーポンメール配信システムにおける広告主画面である。
【図８】本発明の実施の形態に係る気象クーポンメール配信システムにおける降水に関するメール配信条件を説明する図である。
【符号の説明】
【００４４】
１  気象クーポンメール配信装置
２ｉ  利用者端末
３  コンピュータネットワーク
４  気象情報源
５  広告主
１１  メール配信情報管理ＤＢ
１２  クーポン情報管理ＤＢ
１３  気象情報取得部
１４  メール配信情報登録部
１５  気象クーポンメール作成部
１６  気象クーポンメール配信部
１７  クーポン情報登録部
１００  気象クーポンメール配信システム
【図１】
2005165453.tif 000003
【図２】
2005165453.tif 000004
【図３】
2005165453.tif 000005
【図４】
2005165453.tif 000006
【図５】
2005165453.tif 000007
【図６】
2005165453.tif 000008
【図７】
2005165453.tif 000009
【図８】
2005165453.tif 000010